(57)【要約】【課題】スムーズなウィンドウの移動を実現することができる大画面表示システム及びマルチキャスタを得ることを目的とする。【解決手段】操作制御装置２がディスプレイＡに描画されている画像上のウィンドウＷ１を他のディスプレイに移動する指令を受けると、そのウィンドウＷ１を描画している表示制御装置４ＡからウィンドウＡ１に係る描画データ２Ａを取得し、そのウィンドウＷ１の描画位置を示す位置情報を変更してから描画データ１Ｐ’をマルチキャスタ３に配信する。【選択図】図１
2007298550.tif 000002
【特許請求の範囲】
【請求項１】
複数のディスプレイが配列されている大画面ディスプレイに描画する画像の描画データを配信する操作制御装置と、上記操作制御装置により配信された描画データを複製し、同一の描画データを分配するマルチキャスタと、上記大画面ディスプレイを構成しているディスプレイと接続され、上記マルチキャスタにより分配された描画データのうち、自己が接続されているディスプレイに対応する表示領域の描画データにしたがって画像を上記ディスプレイに描画する複数の表示制御装置とを備えた大画面表示システムにおいて、上記操作制御装置があるディスプレイに描画されている画像上のウィンドウを他のディスプレイに移動する指令を受けると、上記ウィンドウを描画している表示制御装置から上記ウィンドウに係る描画データを取得し、上記ウィンドウの描画位置を示す位置情報を変更してから上記描画データを上記マルチキャスタに配信することを特徴とする大画面表示システム。
【請求項２】
複数のディスプレイが配列されている大画面ディスプレイに描画する画像の描画データを配信する操作制御装置と、上記操作制御装置により配信された描画データを複製し、同一の描画データを分配するマルチキャスタと、上記大画面ディスプレイを構成しているディスプレイと接続され、上記マルチキャスタにより分配された描画データのうち、自己が接続されているディスプレイに対応する表示領域の描画データにしたがって画像を上記ディスプレイに描画する複数の表示制御装置とを備えた大画面表示システムにおいて、上記操作制御装置があるディスプレイに描画されている画像上のウィンドウを他のディスプレイに移動する指令を受けると、上記ウィンドウを描画している表示制御装置が上記ウィンドウの描画位置を示す位置情報を変更してから上記ウィンドウに係る描画データを上記マルチキャスタに送信し、上記マルチキャスタが上記描画データを複製して、同一の描画データを複数の表示制御装置に分配することを特徴とする大画面表示システム。
【請求項３】
マルチキャスタは、表示制御装置からウィンドウに係る描画データを受信すると、上記描画データをメモリに一旦蓄えてから上記描画データを複製して、同一の描画データを複数の表示制御装置に分配することを特徴とする請求項２記載の大画面表示システム。
【請求項４】
マルチキャスタは、メモリに蓄えられている描画データを取得して、上記描画データを複製する描画アップ統括制御装置を備えていることを特徴とする請求項３記載の大画面表示システム。
【請求項５】
複数のディスプレイが配列されている大画面ディスプレイに描画する画像の描画データを配信する操作制御装置から描画データを受信する描画データ受信手段と、上記描画データ受信手段により受信された描画データを複製する描画データ複製手段と、上記描画データ複製手段により複製された同一の描画データを上記ディスプレイと接続されている複数の表示制御装置に分配する描画データ分配手段とを備えたマルチキャスタにおいて、上記操作制御装置があるディスプレイに描画されている画像上のウィンドウを他のディスプレイに移動する指令を受けると、上記ウィンドウを描画している表示制御装置から上記ウィンドウに係る描画データを収集して、上記描画データを上記操作制御装置に送信する描画データ収集手段を設け、上記描画データ受信手段が上記操作制御装置から上記ウィンドウの描画位置を示す位置情報が変更されている描画データを受信することを特徴とするマルチキャスタ。
【請求項６】
複数のディスプレイが配列されている大画面ディスプレイに描画する画像の描画データを配信する操作制御装置から描画データを受信する描画データ受信手段と、上記描画データ受信手段により受信された描画データを複製する描画データ複製手段と、上記描画データ複製手段により複製された同一の描画データを上記ディスプレイと接続されている複数の表示制御装置に分配する描画データ分配手段とを備えたマルチキャスタにおいて、上記操作制御装置があるディスプレイに描画されている画像上のウィンドウを他のディスプレイに移動する指令を受けると、上記ウィンドウを描画している表示制御装置から上記ウィンドウの描画位置を示す位置情報が変更されている上記ウィンドウに係る描画データを収集して、上記描画データを複製する描画データ収集手段を設け、上記描画データ分配手段が上記描画データ収集手段により複製された同一の描画データを複数の表示制御装置に分配することを特徴とするマルチキャスタ。
【請求項７】
描画データ収集手段は、表示制御装置からウィンドウに係る描画データを収集すると、上記描画データをメモリに一旦蓄えてから上記描画データを複製することを特徴とする請求項６記載のマルチキャスタ。
【請求項８】
メモリに蓄えられている描画データを取得して、上記描画データを複製する描画アップ統括制御装置を備えていることを特徴とする請求項７記載のマルチキャスタ。
【発明の詳細な説明】
【技術分野】
【０００１】
この発明は、複数のディスプレイが配列されている大画面ディスプレイに画像を描画する大画面表示システムと、操作制御装置から配信される描画データを複製し、同一の描画データを複数の表示制御装置に分配するマルチキャスタとに関するものである。
【背景技術】
【０００２】
従来の大画面表示システムは、一般的に、大画面ディスプレイに描画する画像の描画データを配信する操作制御装置と、その操作制御装置により配信された描画データを複製し、同一の描画データを複数の表示制御装置に分配する光マルチキャスタと、光マルチキャスタにより分配された描画データのうち、自己が接続されているディスプレイに対応する表示領域の描画データにしたがって画像をディスプレイに描画する複数の表示制御装置とから構成されている（例えば、特許文献１参照）。
なお、操作制御装置は、マウスなどの操作デバイスを備えており、例えば、ユーザがマウスを使用して、あるディスプレイに描画されている画像上のウィンドウを他のディスプレイに移動する指令を入力すると、ウィンドウの移動位置を考慮して、大画面ディスプレイに描画する画像の描画データを再作成し、その描画データを光マルチキャスタに配信する。
【０００３】
【特許文献１】特開２００４−２４７８６７号公報（第３頁から第５頁、図１）
【発明の開示】
【発明が解決しようとする課題】
【０００４】
従来の大画面表示システムは以上のように構成されているので、大画面ディスプレイにおける全体的な描画内容があまり変化しない一部のウィンドウを移動するような場合でも、大画面ディスプレイにおける全体的な描画内容を変える場合と同様に、大画面ディスプレイに描画する画像の描画データを再作成しなければならず、大画面ディスプレイの描画内容が更新されるまでに多くの時間を要する。このため、ユーザがマウスなどの操作デバイスを使用して、ウィンドウの移動を指示したとき、ウィンドウの移動がスムーズに見えないなどの課題があった。
【０００５】
この発明は上記のような課題を解決するためになされたもので、スムーズなウィンドウの移動を実現することができる大画面表示システム及びマルチキャスタを得ることを目的とする。
【課題を解決するための手段】
【０００６】
この発明に係る大画面表示システムは、操作制御装置があるディスプレイに描画されている画像上のウィンドウを他のディスプレイに移動する指令を受けると、そのウィンドウを描画している表示制御装置から上記ウィンドウに係る描画データを取得し、そのウィンドウの描画位置を示す位置情報を変更してから描画データをマルチキャスタに配信するようにしたものである。
【発明の効果】
【０００７】
この発明によれば、操作制御装置があるディスプレイに描画されている画像上のウィンドウを他のディスプレイに移動する指令を受けると、そのウィンドウを描画している表示制御装置から上記ウィンドウに係る描画データを取得し、そのウィンドウの描画位置を示す位置情報を変更してから描画データをマルチキャスタに配信するように構成したので、スムーズなウィンドウの移動を実現することができる効果がある。
【発明を実施するための最良の形態】
【０００８】
実施の形態１．
図１はこの発明の実施の形態１による大画面表示システムを示す構成図であり、図において、大画面ディスプレイ１は複数のディスプレイＡ〜Ｆが配列され、ディスプレイＡ〜Ｆに描画される画面が繋ぎ合わされて大きな画面を形成している。
操作制御装置２は大画面ディスプレイ１に描画する画像の描画データ１Ｐを配信する機能を備えている。また、操作制御装置２は例えばマウスなどの操作デバイスが装着されており、例えば、ディスプレイＡに描画されている画像上のウィンドウＷ１を他のディスプレイに移動する指令を受け付ける機能なども備えている。
【０００９】
光マルチキャスタ３は操作制御装置２により配信された描画データ１Ｐを複製し、その描画データ１Ｐと同一の描画データ１Ａ〜１Ｆを表示制御装置４Ａ〜４Ｆに分配する機能を備えている。また、光マルチキャスタ３は操作制御装置２がウィンドウＷ１の移動指令を受け付けると、ウィンドウＷ１を描画している表示制御装置４ＡからウィンドウＷ１に係る描画データ２Ａを取得して、その描画データ２Ａを操作制御装置２に送信するとともに、操作制御装置２からウィンドウＷ１の描画位置を示す位置情報が変更された描画データ２Ｐを受信して、その描画データ２Ｐを複製し、その描画データ２Ｐと同一の描画データ１Ａ’〜１Ｆ’を表示制御装置４Ａ〜４Ｆに分配する機能も備えている。
表示制御装置４Ａ〜４Ｆは大画面ディスプレイ１を構成しているディスプレイＡ〜Ｆと接続され、マルチキャスタ３により分配された描画データ１Ａ〜１Ｆ，１Ａ’〜１Ｆ’のうち、自己が接続されているディスプレイに対応する表示領域の描画データにしたがって画像をディスプレイに描画する。
【００１０】
光マルチキャスタ３の光信号伝送装置１１は操作制御装置２と光ファイバで接続されており、操作制御装置２から光信号である描画データを受信すると、その描画データを電気信号に変換して、その電気信号である描画データを光信号伝送装置１２Ａ〜１２Ｆに出力する。なお、光信号伝送装置１１は描画データ受信手段及び描画データ複製手段を構成している。
光マルチキャスタ３の光信号伝送装置１２Ａ〜１２Ｆは光信号伝送装置１１とバス形式で接続されており、光信号伝送装置１１から出力された描画データを光信号に変換し、その光信号である描画データを表示制御装置４Ａ〜４Ｆに伝送する。また、光信号伝送装置１２Ａ〜１２Ｆは操作制御装置２が任意のウィンドウの移動指令を受け付けると、そのウィンドウを描画している表示制御装置４から当該ウィンドウに係る描画データを取得する。なお、光信号伝送装置１２Ａ〜１２Ｆは描画データ分配手段及び描画データ収集手段を構成している。
【００１１】
次に動作について説明する。
操作制御装置２は、大画面ディスプレイ１に描画する画像の描画データ１Ｐを作成し、その描画データ１Ｐを光マルチキャスタ３に配信する。
光マルチキャスタ３は、操作制御装置２から配信された描画データ１Ｐを受信すると、その描画データ１Ｐを複製し、その描画データ１Ｐと同一のデータである描画データ１Ａ〜１Ｆを表示制御装置４Ａ〜４Ｆに分配する。
【００１２】
即ち、光マルチキャスタ３の光信号伝送装置１１は、操作制御装置２から光信号である描画データ１Ｐを受信すると、その描画データ１Ｐを電気信号に変換して、その電気信号である描画データ１Ｐを光信号伝送装置１２Ａ〜１２Ｆに出力する。
光マルチキャスタ３の光信号伝送装置１２Ａ〜１２Ｆは、光信号伝送装置１１から電気信号である描画データ１Ｐを受けると、その描画データ１Ｐを光信号に変換し、その光信号である描画データ１Ｐを描画データ１Ａ〜１Ｆとして表示制御装置４Ａ〜４Ｆに伝送する。
【００１３】
表示制御装置４Ａ〜４Ｆは、光マルチキャスタ３から描画データ１Ａ〜１Ｆを受信すると、その描画データ１Ａ〜１Ｆのうち、自己が接続されているディスプレイＡ〜Ｆに対応する表示領域の描画データにしたがって画像をディスプレイＡ〜Ｆに描画する。
即ち、表示制御装置４Ａ〜４Ｆが光マルチキャスタ３から受信する描画データ１Ａ〜１Ｆは、大画面ディスプレイ１の全体の描画データであるため、表示制御装置４Ａ〜４Ｆは、描画データ１Ａ〜１Ｆから自己が接続されているディスプレイＡ〜Ｆに対応する表示領域の描画データを抽出し、その描画データにしたがって画像をディスプレイＡ〜Ｆに描画する。
【００１４】
これにより、大画面ディスプレイ１の全体に画像が表示されることになるが、例えば、ユーザが操作制御装置２に装着されているマウスなどの操作デバイスを使用して、ディスプレイＡに描画されている画像上のウィンドウＷ１をドラッグすることにより、そのウィンドウＷ１をディスプレイＡ，Ｂ，Ｄ，Ｅにまたがる表示領域に移動させる命令を入力すると、操作制御装置２がウィンドウＷ１の移動指令を受け付ける。
操作制御装置２は、ウィンドウＷ１の移動指令を受け付けると、ウィンドウＷ１に係る描画データ２Ａのアップロード要求信号を光マルチキャスタ３に配信する。
【００１５】
光マルチキャスタ３は、操作制御装置２から配信されたウィンドウＷ１に係る描画データ２Ａのアップロード要求信号を受信すると、そのアップロード要求信号を複製し、そのアップロード要求信号と同一のデータであるアップロード要求信号を表示制御装置４Ａ〜４Ｆに分配する。
即ち、光マルチキャスタ３の光信号伝送装置１１は、操作制御装置２から光信号であるアップロード要求信号を受信すると、そのアップロード要求信号を電気信号に変換して、その電気信号であるアップロード要求信号を光信号伝送装置１２Ａ〜１２Ｆに出力する。
光マルチキャスタ３の光信号伝送装置１２Ａ〜１２Ｆは、光信号伝送装置１１から電気信号であるアップロード要求信号を受けると、そのアップロード要求信号を光信号に変換し、その光信号であるアップロード要求信号を表示制御装置４Ａ〜４Ｆに伝送する。
【００１６】
表示制御装置４Ａは、光マルチキャスタ３からウィンドウＷ１に係る描画データ２Ａのアップロード要求信号を受信すると、ウィンドウＷ１に係る描画データ２Ａを光マルチキャスタ３に送信する。
表示制御装置４Ｂ〜４Ｆは、光マルチキャスタ３からウィンドウＷ１に係る描画データ２Ａのアップロード要求信号を受信しても、ウィンドウＷ１をディスプレイＢ〜Ｆに描画しておらず、ウィンドウＷ１に係る描画データ２Ａを保持していないので、そのアップロード要求信号を無視する。
【００１７】
光マルチキャスタ３は、表示制御装置４Ａから送信されたウィンドウＷ１に係る描画データ２Ａを受信すると、その描画データ２Ａを描画データ２Ｐとして操作制御装置２に送信する。
即ち、光マルチキャスタ３の光信号伝送装置１２Ａは、表示制御装置４Ａから送信されたウィンドウＷ１に係る描画データ２Ａを受信すると、その描画データ２Ａを電気信号に変換し、その電気信号である描画データ２Ａを光信号伝送装置１１に出力する。
光マルチキャスタ３の光信号伝送装置１１は、光信号伝送装置１２Ａから電気信号である描画データ２Ａを受けると、その描画データ２Ａを光信号に変換し、その光信号である描画データ２Ａを描画データ２Ｐとして操作制御装置２に送信する。
【００１８】
操作制御装置２は、光マルチキャスタ３から送信されたウィンドウＷ１に係る描画データ２Ｐを受信すると、ウィンドウＷ１の描画位置を示す位置情報を変更する。
図１の例では、ウィンドウＷ１の描画位置をディスプレイＡの内部領域からディスプレイＡ，Ｂ，Ｄ，Ｅにまたがる表示領域に変更する。説明の便宜上、移動後のウィンドウＷ１をウィンドウＷ２で表している。
操作制御装置２は、ウィンドウＷ１の描画位置を示す位置情報を変更すると、移動後のウィンドウＷ１であるウィンドウＷ２に係る描画データ１Ｐ’を光マルチキャスタ３に配信する。
ここでは、ウィンドウＷ２の描画位置を示す位置情報は描画データ１Ｐ’に含まれているものとするが、描画データ１Ｐ’と別個にウィンドウＷ２の描画位置を示す位置情報を配信するようにしてもよい。
【００１９】
光マルチキャスタ３は、操作制御装置２から配信された描画データ１Ｐ’を受信すると、その描画データ１Ｐ’を複製し、その描画データ１Ｐ’と同一のデータである描画データ１Ａ〜１Ｆを表示制御装置４Ａ〜４Ｆに分配する。
即ち、光マルチキャスタ３の光信号伝送装置１１は、操作制御装置２から光信号である描画データ１Ｐ’を受信すると、その描画データ１Ｐ’を電気信号に変換して、その電気信号である描画データ１Ｐ’を光信号伝送装置１２Ａ〜１２Ｆに出力する。
光マルチキャスタ３の光信号伝送装置１２Ａ〜１２Ｆは、光信号伝送装置１１から電気信号である描画データ１Ｐ’を受けると、その描画データ１Ｐ’を光信号に変換し、その光信号である描画データ１Ｐ’を描画データ１Ａ’〜１Ｆ’として表示制御装置４Ａ〜４Ｆに伝送する。
【００２０】
表示制御装置４Ａ〜４Ｆは、光マルチキャスタ３から描画データ１Ａ’〜１Ｆ’を受信すると、その描画データ１Ａ’〜１Ｆ’のうち、自己が接続されているディスプレイＡ〜Ｆに対応する表示領域の描画データにしたがって画像をディスプレイＡ〜Ｆに描画する。
即ち、表示制御装置４Ａ〜４Ｆが光マルチキャスタ３から受信する描画データ１Ａ’〜１Ｆ’は、ディスプレイＡ，Ｂ，Ｄ，Ｅにまたがる領域に表示するウィンドウＷ２に係る描画データであるため、表示制御装置４Ａは、描画データ１Ａ’からディスプレイＡに対応する表示領域の描画データを抽出し、その描画データにしたがって画像をディスプレイＡに描画する。
同様に、表示制御装置４Ｂ，４Ｄ，４Ｅは、描画データ１Ｂ’，１Ｄ’，１Ｅ’からディスプレイＢ，Ｄ，Ｅに対応する表示領域の描画データを抽出し、その描画データにしたがって画像をディスプレイＢ，Ｄ，Ｅに描画する。
表示制御装置４Ｃ，４Ｆは、ウィンドウＷ２の表示領域から外れているので、描画データ１Ｃ’，１Ｆ’を受信しても、その描画データ１Ｃ’，１Ｆ’を破棄する。
これにより、ウィンドウＷ２が大画面ディスプレイ１に表示され、ウィンドウＷ１の移動が完了する。
【００２１】
以上で明らかなように、この実施の形態１によれば、操作制御装置２がディスプレイＡに描画されている画像上のウィンドウＷ１を他のディスプレイに移動する指令を受けると、そのウィンドウＷ１を描画している表示制御装置４ＡからウィンドウＡ１に係る描画データ２Ａを取得し、そのウィンドウＷ１の描画位置を示す位置情報を変更してから描画データ１Ｐ’をマルチキャスタ３に配信するように構成したので、画面ディスプレイ１における全体的な描画内容を変える場合と同様に、大画面ディスプレイ１に描画する画像の描画データ１Ｐを再作成することなく、移動後のウィンドウＷ１であるウィンドウＷ２に係る描画データ１Ｐ’をマルチキャスタ３に配信することができるようになり、その結果、スムーズなウィンドウの移動を実現することができる効果を奏する。
【００２２】
実施の形態２．
上記実施の形態１では、操作制御装置２がウィンドウＷ１の移動指令を受け付けると、操作制御装置２が表示制御装置４Ａからマルチキャスタ３を介してウィンドウＷ１に係る描画データ２Ｐを取得し、操作制御装置２がウィンドウＷ１の描画位置を示す位置情報を変更してから描画データ１Ｐ’をマルチキャスタ３に配信するものについて示したが、操作制御装置２の代わりに、表示制御装置４ＡがウィンドウＷ１の描画位置を示す位置情報を変更し、マルチキャスタ３が表示制御装置４Ａから位置情報が変更されたウィンドウＷ２に係る描画データ２Ａを取得し、その描画データ２Ａを複製して、その描画データ２Ａと同一の描画データ１Ａ’〜１Ｆ’を表示制御装置４Ａ〜４Ｆに分配するようにしてもよい。
具体的には、以下の通りである。図２はこの発明の実施の形態２による大画面表示システムを示す構成図である。
【００２３】
例えば、ユーザが操作制御装置２に装着されているマウスなどの操作デバイスを使用して、ディスプレイＡに描画されている画像上のウィンドウＷ１をドラッグすることにより、そのウィンドウＷ１をディスプレイＡ，Ｂ，Ｄ，Ｅにまたがる領域に移動させる命令を入力すると、操作制御装置２がウィンドウＷ１の移動指令を受け付ける。
操作制御装置２は、ウィンドウＷ１の移動指令を受け付けると、ウィンドウＷ１を描画している表示制御装置４Ａをホスト制御装置に認定する情報のほか、移動後のウィンドウＷ１の描画位置（ウィンドウＷ２の描画位置）を示す情報などが含まれているホスト制御データ３Ｐを光マルチキャスタ３に配信する。
【００２４】
光マルチキャスタ３は、操作制御装置２から配信されたホスト制御データ３Ｐを受信すると、そのホスト制御データ３Ｐを複製し、そのホスト制御データ３Ｐと同一のデータであるホスト制御データ３Ｐを表示制御装置４Ａ〜４Ｆに分配する。
即ち、光マルチキャスタ３の光信号伝送装置１１は、操作制御装置２から光信号であるホスト制御データ３Ｐを受信すると、そのホスト制御データ３Ｐを電気信号に変換して、その電気信号であるホスト制御データ３Ｐを光信号伝送装置１２Ａ〜１２Ｆに出力する。
光マルチキャスタ３の光信号伝送装置１２Ａ〜１２Ｆは、光信号伝送装置１１から電気信号であるホスト制御データ３Ｐを受けると、そのホスト制御データ３Ｐを光信号に変換し、その光信号であるホスト制御データ３Ｐを表示制御装置４Ａ〜４Ｆに伝送する。
【００２５】
表示制御装置４Ａは、光マルチキャスタ３からホスト制御データ３Ｐを受信すると、自己がホスト制御装置であると判断する。
また、表示制御装置４Ａは、自己がホスト制御装置であると判断すると、そのホスト制御データ３ＰにしたがってウィンドウＷ１の描画位置を示す位置情報を変更し、移動後のウィンドウＷ１であるウィンドウＷ２に係る描画データ２Ａを光マルチキャスタ３に送信する。
表示制御装置４Ｂ〜４Ｆは、光マルチキャスタ３からホスト制御データ３Ｐを受信しても、ホスト制御データ３Ｐが自己をホスト制御装置に認定していないので、そのホスト制御データ３Ｐを無視する。
【００２６】
光マルチキャスタ３は、表示制御装置４Ａから送信されたウィンドウＷ２に係る描画データ２Ａを受信すると、その描画データ２Ａを複製して、その描画データ２Ａと同一の描画データ１Ａ’〜１Ｆ’を表示制御装置４Ａ〜４Ｆに分配する。
即ち、光マルチキャスタ３の光信号伝送装置１１は、ホスト制御データ３Ｐにしたがって内部結合側を待機状態に移行して、光信号伝送装置１２Ａをホスト装置に設定する。
光マルチキャスタ３の光信号伝送装置１２Ａは、ホスト装置に設定されると、表示制御装置４Ａから送信されるウィンドウＷ２に係る描画データ２Ａを受信し、その描画データ２Ａを電気信号に変換して、その電気信号である描画データ２Ａを光信号伝送装置１２Ｂ〜１２Ｆに出力する。
光マルチキャスタ３の光信号伝送装置１２Ａ〜１２Ｆは、ウィンドウＷ２に係る描画データ２Ａを描画データ１Ａ’〜１Ｆ’として表示制御装置４Ａ〜４Ｆに分配する。
【００２７】
表示制御装置４Ａ〜４Ｆは、光マルチキャスタ３から描画データ１Ａ’〜１Ｆ’を受信すると、その描画データ１Ａ’〜１Ｆ’のうち、自己が接続されているディスプレイＡ〜Ｆに対応する表示領域の描画データにしたがって画像をディスプレイＡ〜Ｆに描画する。
即ち、表示制御装置４Ａ〜４Ｆが光マルチキャスタ３から受信する描画データ１Ａ’〜１Ｆ’は、ディスプレイＡ，Ｂ，Ｄ，Ｅにまたがる領域に表示するウィンドウＷ２に係る描画データであるため、表示制御装置４Ａは、描画データ１Ａ’からディスプレイＡに対応する表示領域の描画データを抽出し、その描画データにしたがって画像をディスプレイＡに描画する。
同様に、表示制御装置４Ｂ，４Ｄ，４Ｅは、描画データ１Ｂ’，１Ｄ’，１Ｅ’からディスプレイＢ，Ｄ，Ｅに対応する表示領域の描画データを抽出し、その描画データにしたがって画像をディスプレイＢ，Ｄ，Ｅに描画する。
表示制御装置４Ｃ，４Ｆは、ウィンドウＷ２の表示領域から外れているので、描画データ１Ｃ’，１Ｆ’を受信しても、その描画データ１Ｃ’，１Ｆ’を破棄する。
これにより、ウィンドウＷ２が大画面ディスプレイ１に表示され、ウィンドウＷ１の移動が完了する。
【００２８】
以上で明らかなように、この実施の形態２によれば、操作制御装置２がディスプレイＡに描画されている画像上のウィンドウＷ１を他のディスプレイに移動する指令を受けると、そのウィンドウＷ１を描画している表示制御装置４ＡがウィンドウＡ１の描画位置を示す位置情報を変更してから、移動後のウィンドウＷ１であるウィンドウＷ２に係る描画データ２Ａをマルチキャスタ３に送信し、マルチキャスタ３が描画データ２Ａを複製して、その描画データ２Ａと同一の描画データ１Ａ’〜１Ｆ’を表示制御装置４Ａ〜４Ｆに分配するように構成したので、画面ディスプレイ１における全体的な描画内容を変える場合と同様に、大画面ディスプレイ１に描画する画像の描画データ１Ｐを再作成することなく、移動後のウィンドウＷ１であるウィンドウＷ２に係る描画データ１Ａ’〜１Ｆ’を表示制御装置４Ａ〜４Ｆに分配することができるようになり、その結果、スムーズなウィンドウの移動を実現することができる効果を奏する。
また、この実施の形態２では、ホスト制御装置を切り替えることができるので、操作制御装置２が応答タイムアウトに代表されるダウン状態になったときには、以降、表示制御装置４Ａ等が、操作制御装置２に成り代わることができるようになる。そのため、いざと言う場合にも、大画面表示システムとしての動作を継続することが可能になる。
【００２９】
実施の形態３．
上記実施の形態２では、操作制御装置２の代わりに、表示制御装置４ＡがウィンドウＷ１の描画位置を示す位置情報を変更し、マルチキャスタ３が表示制御装置４Ａから位置情報が変更されたウィンドウＷ２に係る描画データ２Ａを取得し、その描画データ２Ａを複製して、その描画データ２Ａと同一の描画データ１Ａ’〜１Ｆ’を表示制御装置４Ａ〜４Ｆに分配するものについて示したが、マルチキャスタ３が表示制御装置４Ａ〜４Ｆから位置情報が変更されたウィンドウＷ２に係る描画データ２Ａ〜２Ｆを取得すると、その描画データ２Ａ〜２Ｆを一旦描画アップメモリ１３Ａ〜１３Ｆに蓄えてから、その描画データ２Ａ〜２Ｆを複製して、その描画データ２Ａ〜２Ｆと同一の描画データ１Ａ’〜１Ｆ’を表示制御装置４Ａ〜４Ｆに分配するようにしてもよい。
具体的には、以下の通りである。図３はこの発明の実施の形態３による大画面表示システムを示す構成図である。
【００３０】
マルチキャスタ３の光信号伝送装置１２Ａ〜１２Ｆが、表示制御装置４Ａ〜４Ｆから位置情報が変更されたウィンドウＷ２に係る描画データ２Ａ〜２Ｆを受信すると、その描画データ２Ａ〜２Ｆを複製する前に、その描画データ２Ａ〜２Ｆを一旦描画アップメモリ１３Ａ〜１３Ｆに蓄える点以外は、上記実施の形態２と同様である。
【００３１】
この実施の形態２では、ディスプレイＡ，Ｂ，Ｄ，Ｅにまたがる領域に表示されているウィンドウＷ１をディスプレイＢ，Ｃ，Ｅ，Ｆにまたがる領域に移動させる命令が入力される例を説明する。
この場合、表示制御装置４Ａ，４Ｂ，４Ｄ，４Ｅがホスト制御装置に認定され、ウィンドウＷ１の描画位置を示す位置情報を変更して、移動後のウィンドウＷ１であるウィンドウＷ２に係る描画データ２Ａ，２Ｂ，２Ｄ，２Ｅを光マルチキャスタ３の光信号伝送装置１２Ａ，１２Ｂ，１２Ｄ，１２Ｅに送信する。
因みに、表示制御装置４Ａから送信されるウィンドウＷ２に係る描画データ２Ａは、ディスプレイＡに描画されているウィンドウＷ１の左上にある約４分の１の領域のデータである。
また、表示制御装置４Ｄから送信されるウィンドウＷ２に係る描画データ２Ｄは、ディスプレイＤに描画されているウィンドウＷ１の左下にある約４分の１の領域のデータである。
【００３２】
光マルチキャスタ３の光信号伝送装置１２Ａ，１２Ｂ，１２Ｄ，１２Ｅは、表示制御装置４Ａ，４Ｂ，４Ｄ，４Ｅから送信されたウィンドウＷ２に係る描画データ２Ａ，２Ｂ，２Ｄ，２Ｅを受信すると、その描画データ２Ａ，２Ｂ，２Ｄ，２Ｅを電気信号に変換して描画アップメモリ１３Ａ，１３Ｂ，１３Ｄ，１３Ｅに格納する。
その後、光マルチキャスタ３の光信号伝送装置１２Ａは、描画アップメモリ１３Ａから描画データ２Ａを取得して、その描画データ２Ａを光信号伝送装置１２Ｂ〜１２Ｆに出力する。
光マルチキャスタ３の光信号伝送装置１２Ａ〜１２Ｆは、ウィンドウＷ２に係る描画データ２Ａを描画データ１Ａ’〜１Ｆ’として表示制御装置４Ａ〜４Ｆに分配する。
【００３３】
次に、光マルチキャスタ３の光信号伝送装置１２Ｂは、描画アップメモリ１３Ｂから描画データ２Ｂを取得して、その描画データ２Ｂを光信号伝送装置１２Ａ，１２Ｃ〜１２Ｆに出力する。
光マルチキャスタ３の光信号伝送装置１２Ａ〜１２Ｆは、ウィンドウＷ２に係る描画データ２Ｂを描画データ１Ａ’〜１Ｆ’として表示制御装置４Ａ〜４Ｆに分配する。
同様に、光マルチキャスタ３の光信号伝送装置１２Ｄ（１２Ｅ）は、描画アップメモリ１３Ｄ（１３Ｅ）から描画データ２Ｄ（２Ｅ）を取得して、その描画データ２Ｄ（２Ｅ）を光信号伝送装置１２Ａ〜１２Ｃ，１２Ｅ，１２Ｆ（１２Ａ〜１２Ｄ，１２Ｆ）に出力する。
光マルチキャスタ３の光信号伝送装置１２Ａ〜１２Ｆは、ウィンドウＷ２に係る描画データ２Ｄ（２Ｅ）を描画データ１Ａ’〜１Ｆ’として表示制御装置４Ａ〜４Ｆに分配する。
【００３４】
表示制御装置４Ａ〜４Ｆは、光マルチキャスタ３から描画データ１Ａ’〜１Ｆ’を受信すると、上記実施の形態２と同様に、その描画データ１Ａ’〜１Ｆ’のうち、自己が接続されているディスプレイＡ〜Ｆに対応する表示領域の描画データにしたがって画像をディスプレイＡ〜Ｆに描画する。
即ち、表示制御装置４Ａ〜４Ｆが光マルチキャスタ３から受信する描画データ１Ａ’〜１Ｆ’は、ディスプレイＢ，Ｃ，Ｅ，Ｆにまたがる領域に表示するウィンドウＷ２に係る描画データであるため、表示制御装置４Ｂは、描画データ１Ｂ’からディスプレイＢに対応する表示領域の描画データを抽出し、その描画データにしたがって画像をディスプレイＢに描画する。
同様に、表示制御装置４Ｃ，４Ｅ，４Ｆは、描画データ１Ｃ’，１Ｅ’，１Ｆ’からディスプレイＣ，Ｅ，Ｆに対応する表示領域の描画データを抽出し、その描画データにしたがって画像をディスプレイＣ，Ｅ，Ｆに描画する。
表示制御装置４Ａ，４Ｂは、ウィンドウＷ２の表示領域から外れているので、描画データ１Ａ’，１Ｂ’を受信しても、その描画データ１Ａ’，１Ｂ’を破棄する。
これにより、ウィンドウＷ２が大画面ディスプレイ１に表示され、ウィンドウＷ１の移動が完了する。
【００３５】
以上で明らかなように、この実施の形態３によれば、マルチキャスタ３の光信号伝送装置１２Ａ〜１２Ｆが、表示制御装置４Ａ〜４Ｆから位置情報が変更されたウィンドウＷ２に係る描画データ２Ａ〜２Ｆを受信すると、その描画データ２Ａ〜２Ｆを複製する前に、その描画データ２Ａ〜２Ｆを一旦描画アップメモリ１３Ａ〜１３Ｆに蓄えるように構成したので、複数のディスプレイにまたがる領域に表示されているウィンドウＷ１の移動指令にも対処することができる効果を奏する。
【００３６】
実施の形態４．
上記実施の形態３では、光信号伝送装置１２Ａ，１２Ｂ，１２Ｄ，１２Ｅがホスト装置になることにより、光信号伝送装置１２Ａ，１２Ｂ，１２Ｄ，１２Ｅが描画アップメモリ１３Ａ，１３Ｂ，１３Ｄ，１３Ｅに蓄積されているウィンドウＷ２に係る描画データ２Ａ，２Ｂ，２Ｄ，２Ｅを複製するものについて示したが、描画アップ統括制御装置１４が描画アップメモリ１３Ａ，１３Ｂ，１３Ｄ，１３Ｅに蓄積されているウィンドウＷ２に係る描画データ２Ａ，２Ｂ，２Ｄ，２Ｅを複製するようにしてもよい。
具体的には、以下の通りである。図４はこの発明の実施の形態４による大画面表示システムを示す構成図である。
【００３７】
光マルチキャスタ３の光信号伝送装置１２Ａ，１２Ｂ，１２Ｄ，１２Ｅは、表示制御装置４Ａ，４Ｂ，４Ｄ，４Ｅから送信されたウィンドウＷ２に係る描画データ２Ａ，２Ｂ，２Ｄ，２Ｅを受信すると、上記実施の形態３と同様に、その描画データ２Ａ，２Ｂ，２Ｄ，２Ｅを電気信号に変換して描画アップメモリ１３Ａ，１３Ｂ，１３Ｄ，１３Ｅに格納する。
その後、光マルチキャスタ３の描画アップ統括制御装置１４は、描画アップメモリ１３Ａから描画データ２Ａを取得して、その描画データ２Ａを光信号伝送装置１２Ａ〜１２Ｆに出力する。
光マルチキャスタ３の光信号伝送装置１２Ａ〜１２Ｆは、ウィンドウＷ２に係る描画データ２Ａを描画データ１Ａ’〜１Ｆ’として表示制御装置４Ａ〜４Ｆに分配する。
【００３８】
次に、光マルチキャスタ３の描画アップ統括制御装置１４は、描画アップメモリ１３Ｂから描画データ２Ｂを取得して、その描画データ２Ｂを光信号伝送装置１２Ａ〜１２Ｆに出力する。
光マルチキャスタ３の光信号伝送装置１２Ａ〜１２Ｆは、ウィンドウＷ２に係る描画データ２Ｂを描画データ１Ａ’〜１Ｆ’として表示制御装置４Ａ〜４Ｆに分配する。
同様に、光マルチキャスタ３の描画アップ統括制御装置１４は、描画アップメモリ１３Ｄ，１３Ｅから描画データ２Ｄ，２Ｅを順次取得して、その描画データ２Ｄ，２Ｅを順次光信号伝送装置１２Ａ〜１２Ｆに出力する。
光マルチキャスタ３の光信号伝送装置１２Ａ〜１２Ｆは、ウィンドウＷ２に係る描画データ２Ｄ，２Ｅを順次描画データ１Ａ’〜１Ｆ’として表示制御装置４Ａ〜４Ｆに分配する。
その他の点は、上記実施の形態３と同様である。
【００３９】
以上で明らかなように、この実施の形態４によれば、描画アップ統括制御装置１４が描画アップメモリ１３Ａ，１３Ｂ，１３Ｄ，１３Ｅに蓄積されているウィンドウＷ２に係る描画データ２Ａ，２Ｂ，２Ｄ，２Ｅを複製するように構成したので、光信号伝送装置１２Ａ〜１２Ｆをホスト装置に切り替える回路やプログラムを省略することができる効果を奏する。
【図面の簡単な説明】
【００４０】
【図１】この発明の実施の形態１による大画面表示システムを示す構成図である。
【図２】この発明の実施の形態２による大画面表示システムを示す構成図である。
【図３】この発明の実施の形態３による大画面表示システムを示す構成図である。
【図４】この発明の実施の形態４による大画面表示システムを示す構成図である。
【符号の説明】
【００４１】
１  大画面ディスプレイ、２  操作制御装置、３  光マルチキャスタ、４Ａ〜４Ｆ  表示制御装置、１１  光信号伝送装置（描画データ受信手段、描画データ複製手段）、１２Ａ〜１２Ｆ  光信号伝送装置（描画データ分配手段、描画データ収集手段）、１３Ａ〜１３Ｆ  描画アップメモリ、１４  描画アップ統括制御装置、Ａ〜Ｆ  ディスプレイ。
【図１】
2007298550.tif 000003
【図２】
2007298550.tif 000004
【図３】
2007298550.tif 000005
【図４】
2007298550.tif 000006